(57)【要約】  本ガラスは、内面と外面とを備えたガラスであって、ヘッドアップディスプレイで使用する第１領域と、前記第１領域に隣接するヘッドアップディスプレイで使用しない第２領域と、を有し、前記第１領域内で前記第１領域と前記第２領域との境界に最も近い領域を第１領域内境界側端、前記第２領域内で前記境界に最も近い領域を第２領域内境界側端としたときに、前記第２領域内境界側端を含む前記第２領域の一部の領域の各点において、前記内面と前記外面とで形成する楔角δが所定の式を満足することを要件とする。
2016017566.tif 000002
【特許請求の範囲】
【請求項１】
内面と外面とを備えたガラスであって、
ヘッドアップディスプレイで使用する第１領域と、前記第１領域に隣接するヘッドアップディスプレイで使用しない第２領域と、を有し、
前記第１領域内で前記第１領域と前記第２領域との境界に最も近い領域を第１領域内境界側端、前記第２領域内で前記境界に最も近い領域を第２領域内境界側端としたときに、
前記第２領域内境界側端を含む前記第２領域の一部の領域の各点において、前記内面と前記外面とで形成する楔角δが以下の式（１）を満足することを特徴とするガラス。
【数１】
2016017566.tif 000011
但し、楔角δ＝一定の場合を除き、ｔはガラスの厚さ、Ｒはガラスの局所曲率半径、ｎはガラスの屈折率、Φはガラスに入射する光線の局所入射角であり、
前記第１領域内境界側端の楔角をδｈ、前記第１領域内境界側端の透視二重像の角度をηｈとしたときに、ηｈが以下の式（２）で表され、ηは、｜ηｈ｜≦９ならば２｜ηｈ｜もしくは９のうちの小さい方以下、｜ηｈ｜＞９ならば｜ηｈ｜以下（但し、前記一部の領域の各点の全てにおいてη＝０となることはなく、かつ、前記第２領域内境界側端では０＜｜η｜である）、を満足するηｈと同符号の任意の値である。
【数２】
2016017566.tif 000012
【請求項２】
前記第２領域内境界側端を含む前記第２領域のうち、前記ガラスの周縁部を除く領域の各点において、前記内面と前記外面とで形成する楔角δが式（１）を満足することを特徴とする請求項１記載のガラス。
【請求項３】
前記第２領域内境界側端を含む前記第２領域の全部の領域の各点において、前記内面と前記外面とで形成する楔角δが式（１）を満足することを特徴とする請求項１記載のガラス。但し、式（１）において、ηは０≦｜η｜≦９（但し、前記全部の領域の各点の全てにおいてη＝０となることはなく、かつ、前記第２領域内境界側端では０＜｜η｜である）、を満足する任意の値である。
【請求項４】
前記第２領域内境界側端を含む前記第２領域の全部の領域の各点において、前記内面と前記外面とで形成する楔角δが式（１）を満足することを特徴とする請求項１記載のガラス。但し、式（１）において、ηは０≦｜η｜≦６（但し、前記全部の領域の各点の全てにおいてη＝０となることはなく、かつ、前記第２領域内境界側端では０＜｜η｜である）、を満足する任意の値である。
【請求項５】
前記第２領域内境界側端を含む前記第２領域の全部の領域の各点において、前記内面と前記外面とで形成する楔角δが式（１）を満足することを特徴とする請求項１記載のガラス。但し、式（１）において、ηは０≦｜η｜≦３（但し、前記全部の領域の各点の全てにおいてη＝０となることはなく、かつ、前記第２領域内境界側端では０＜｜η｜である）、を満足する任意の値である。
【発明の詳細な説明】
【技術分野】
【０００１】
本発明は、ガラスに関する。
【背景技術】
【０００２】
近年、車両のフロントガラスに画像を反射させて運転手の視界に所定の情報を表示するヘッドアップディスプレイ（以下、ＨＵＤ）の導入が進んでいるが、運転手が車外の風景やＨＵＤにより表示された情報を視認するに際し、二重像が問題となる場合がある。【０００３】
車両の運転手にとって問題となる二重像には２種類がある。１つ目は透視二重像であり、例えば、夜間時の対向車のヘッドライトのような強い光源によって引き起こされる。これは，フロントガラスに入射された光線がフロントガラスの内側で反射されてから目に入る２次ビームが，１次ビームとある角度をなしていることで光源が二重に見えるものである。【０００４】
２つ目は反射二重像であり、ＨＵＤによるものである。これは、ＨＵＤの光源がフロントガラスの外側で反射されてから目に入る２次ビームが、１次ビームとある角度をなしていることで、ＨＵＤによる像が二重に見えるものである。【０００５】
従って、フロントガラスにＨＵＤで使用するＨＵＤ表示領域と、ＨＵＤで使用しないＨＵＤ表示外領域（透視領域）がある場合には、ＨＵＤ表示領域では透視二重像が問題となることもあるが、概ね反射二重像が主たる問題となり、ＨＵＤ表示外領域で透視二重像が問題となる。【０００６】
このような反射二重像或いは透視二重像は、フロントガラスに楔状の膜を用いることで低減できることが知られている。例えば、フロンドガラス下辺から上辺に亘って楔角度が変化する中間膜を用いて反射二重像或いは透視二重像を低減できるフロントガラスが提案されている（例えば、特許文献１参照）。
【先行技術文献】
【特許文献】
【０００７】
【特許文献１】特許第５３１５３５８号
【発明の概要】
【発明が解決しようとする課題】
【０００８】
ところで、透視二重像と反射二重像とは異なる原理で生じるため、ある値の楔角を用いて両方を同時になくすことはできない。透視二重像をなくす楔膜を使っても、そのまま同時に反射二重像をなくすことはできず、その逆もまた然りである。従って、ＨＵＤ表示領域とＨＵＤ表示外領域とを有するガラスでは、ＨＵＤ表示領域とＨＵＤ表示外領域との境界で楔角を変える必要がある。【０００９】
しかしながら、ガラスのある領域で楔角を急激に変えると、急激に変えた領域（遷移領域）で透視歪が発生する問題が生じる。【００１０】
本発明は、上記の点に鑑みてなされたものであり、ＨＵＤ表示領域とＨＵＤ表示外領域との境界で生じる透視歪を低減可能なガラスを提供することを課題とする。
【課題を解決するための手段】
【００１１】
本ガラスは、内面と外面とを備えたガラスであって、ヘッドアップディスプレイで使用する第１領域と、前記第１領域に隣接するヘッドアップディスプレイで使用しない第２領域と、を有し、前記第１領域内で前記第１領域と前記第２領域との境界に最も近い領域を第１領域内境界側端、前記第２領域内で前記境界に最も近い領域を第２領域内境界側端としたときに、前記第２領域内境界側端を含む前記第２領域の一部の領域の各点において、前記内面と前記外面とで形成する楔角δが後述の式（１）を満足することを要件とする。
【発明の効果】
【００１２】
本発明によれば、ＨＵＤ表示領域とＨＵＤ表示外領域との境界で生じる透視歪を低減可能なガラスを提供できる。
【図面の簡単な説明】
【００１３】
【図１】二重像の概念について説明する図である。
【図２】車両用のフロントガラスについて説明する図である。
【図３】境界側端について説明する図である。
【図４】境界における楔角の変化について説明する図（その１）である。
【図５】境界における楔角の変化について説明する図（その２）である。
【図６】二重像の角度ついて説明する図である。
【図７】境界における楔角の変化について説明する図（その３）である。
【図８】境界における楔角の変化について説明する図（その４）である。
【発明を実施するための形態】
【００１４】
以下、図面を参照して発明を実施するための形態について説明する。各図面において、同一構成部分には同一符号を付し、重複した説明を省略する場合がある。なお、ここでは、車両用のフロントガラスを例にして説明するが、これには限定されず、本実施の形態に係るガラスは、車両用のフロントガラス以外にも適用可能である。
【００１５】
まず、反射二重像と透視二重像の概念について説明する。図１は、二重像の概念について説明する図であり、図１（ａ）は反射二重像、図１（ｂ）は透視二重像を示している。なお、図１において、フロントガラス２０を搭載する車両の前後方向をＸ、車両の左右方向をＹ、ＸＹ平面に垂直な方向をＺとしている（以降の図も同様）。
【００１６】
図１（ａ）に示すように、ＨＵＤの光源１０から出射された光線１１ａの一部は、車両のフロントガラス２０の内面２１で反射されて光線１１ｂ（１次ビーム）として運転者の眼３０に導かれ、フロントガラス２０前方に像１１ｃ（虚像）として運転者に視認される。
【００１７】
又、ＨＵＤの光源１０から出射された光線１２ａの一部は、車両のフロントガラス２０の内面２１から内部に侵入して屈折し、その一部が外面２２で反射される。そして、更にその一部が内面２１から車両のフロントガラス２０の外部に出て屈折し光線１２ｂ（２次ビーム）として運転者の眼３０に導かれ、像１２ｃ（虚像）として運転者に視認される。なお、フロントガラス２０の厚さは一定であり、内面２１と外面２２とは平行である。
【００１８】
このように、運転者に視認される２つの像１１ｃと像１２ｃが反射二重像である。又、光線１１ｂ（１次ビーム）と光線１２ｂ（２次ビーム）とがなす角度が反射二重像の角度αである。反射二重像の角度αはゼロに近いほど好ましい。
【００１９】
又、図１（ｂ）に示すように、光源４０から出射された光線４１ａの一部は、車両のフロントガラス２０の外面２２から内部に侵入して屈折する。そして、その一部が内面２１からフロントガラス２０の外部に出て光線４１ｂとして運転者の眼３０に導かれ、像４１ｃとして運転者に視認される。
【００２０】
又、光源４０から出射された光線４２ａの一部は、車両のフロントガラス２０の外面２２から内部に侵入して屈折し、その一部が内面２１で反射される。そして、更にその一部が外面２２で反射され、更にその一部が屈折して内面２１からフロントガラス２０の外部に出て屈折し光線４２ｂとして運転者の眼３０に導かれ、像４２ｃとして運転者に視認される。
【００２１】
このように、運転者に視認される２つの像４１ｃと像４２ｃが透視二重像である。又、光線４１ｂ（１次ビーム）と光線４２ｂ（２次ビーム）とがなす角度が透視二重像の角度ηである。透視二重像の角度ηはゼロに近いほど好ましい。
【００２２】
図２は、車両用のフロントガラスを例示する図であり、図２（ａ）はフロントガラスを車両前方から視認した様子を模式的に示した図である。又、図２（ｂ）は、図２（ａ）のＸＺ平面に平行な部分断面図である。なお、図２（ａ）において、便宜上、ＨＵＤ表示領域Ａを梨地模様で示している。
【００２３】
図２（ａ）に示すように、フロントガラス２０は、ＨＵＤで使用するＨＵＤ表示領域Ａと、ＨＵＤで使用しないＨＵＤ表示外領域Ｂ（透視領域）とを有している。ＨＵＤ表示領域Ａは、フロントガラス２０の下方に位置しており、ＨＵＤ表示外領域ＢはＨＵＤ表示領域Ａに隣接してフロントガラス２０のＨＵＤ表示領域Ａよりも上方に位置している。Ｃは、ＨＵＤ表示領域ＡとＨＵＤ表示外領域Ｂとの境界である。
【００２４】
図２（ｂ）に示すように、フロントガラス２０は、ガラス板２１０とガラス板２２０とが中間膜２３０を挟持した状態で固着された構造とすることができる。ガラス板２１０の厚さは均一であり、ガラス板２２０の厚さも均一である。但し、ガラス板２１０の厚さとガラス板２２０の厚さとは同一でなくても構わない。
【００２５】
又、ガラス板２１０の一方の面であるフロントガラス２０の内面２１と、ガラス板２２０の一方の面であるフロントガラス２０の外面２２とは、平面であっても湾曲面であって構わない。フロントガラス２０は、例えば、垂直方向に湾曲した形状とすることができる。なお、ｔは、フロントガラス２０の局部的な厚さ（その部分におけるガラス板２１０、ガラス板２２０、及び中間膜２３０の合計の厚さ）を示している。ここで図２（ｂ）は本願の一例であり、フロントガラス２０について、断面が楔形状のガラスと中間膜とを組み合わせた構成としても良いことは言うまでも無い。
【００２６】
中間膜２３０は、断面視楔状に形成されている。中間膜２３０のガラス板２１０と接する面と、中間膜２３０のガラス板２２０と接する面とのなす角を楔角δと称する。楔角δは、Ｚ方向の位置に対応して任意の値をとることができる。中間膜２３０のガラス板２１０と接する面と、中間膜２３０のガラス板２２０と接する面とが平行となる領域が存在しても構わない。楔角δの好適な決定方法については、後述する。なお、ガラス板２１０及び２２０の厚さは均一であるから、楔角δは、フロントガラス２０の内面２１と外面２２とのなす角であるともいえる。
【００２７】
ガラス板２１０及び２２０としては周知の透明ガラスを用いることができるが、車両用として汎用の色付きガラスを用いてもよい。ガラス板２１０及び２２０の材質としては、例えば、無機ガラスや有機透明樹脂ガラス（ポリカーボネート類等）、或いは、これらを混合したもの等を用いることができる。無機ガラスの場合は、熱線吸収ガラス（緑色等）等の機能付きガラスを用いてもよいし、ガラス表層に強化応力層（物理強化、化学強化による）を有していてもよい。
【００２８】
中間膜２３０は、例えば、周知の透明樹脂を用いて、押出成形等により作製することができる。透明樹脂の一例としては、ポリビニルブチラール、ポリビニルアルコールやポリエチレンテレフタレート等を挙げることができる。中間膜２３０は、必要に応じ、複数層を積層して形成してもよいし、層中に機能性微粒子（例えば、ＩＴＯ、ＡＴＯ、フタロシアニン化合物等の遮熱材）を有していてもよい。
【００２９】
前述のように、ＨＵＤ表示領域ＡとＨＵＤ表示外領域Ｂとの境界Ｃにおいて楔角δを急激に変えると、境界Ｃの近傍において透視歪が発生する問題が生じる。又、中間膜２３０を用いてガラス板２１０とガラス板２２０とを接着する際に、楔角δを急激に変えた領域の近傍で発泡現象（中間膜２３０とガラス板２１０又は中間膜２３０とガラス板２２０の境界部）が生じるおそれがある。
【００３０】
そこで、本実施の形態では、境界Ｃの近傍における透視歪や発泡が生じる危険度を従来よりも低減することが可能な楔角δの決定方法を導いた。すなわち、ＨＵＤ表示外領域Ｂ内の境界Ｃ側端を含むＨＵＤ表示外領域Ｂの一部の領域の各点において、以下の式（１）を満足する楔角δを適用することにより、境界Ｃの近傍において透視歪や発泡が生じる危険度を従来よりも低減することが可能となる。
【００３１】
なお、ＨＵＤ表示外領域Ｂ内の境界Ｃ側端とは、ＨＵＤ表示外領域Ｂ内で境界Ｃに最も近い領域を指す。図３（ａ）において、領域Ｄは、境界Ｃに接するＨＵＤ表示外領域Ｂの一部の領域を示しており、幅がＷＢである。ＨＵＤ表示外領域Ｂは図３（ａ）の上方を例示しているが、ＨＵＤ表示領域Ａの下方等も含むことは言うまでもない。図３（ａ）において、幅ＷＢを極限まで０に近づけた場合の境界Ｃに接する領域Ｄが、ＨＵＤ表示外領域Ｂ内の境界Ｃ側端である。
【００３２】
同様に、ＨＵＤ表示領域Ａ内の境界Ｃ側端とは、ＨＵＤ表示領域Ａ内で境界Ｃに最も近い領域を指す。図３（ｂ）において、領域Ｅは、境界Ｃに接するＨＵＤ表示領域Ａの一部の領域を示しており、幅がＷＡである。図３（ｂ）において、幅ＷＡを極限まで０に近づけた場合の境界Ｃに接する領域Ｅが、ＨＵＤ表示領域Ａ内の境界Ｃ側端である。
【００３３】
ＨＵＤ表示外領域Ｂ内の境界Ｃ側端を含むＨＵＤ表示外領域Ｂの少なくとも一部の領域において、楔角δは、例えば、フロントガラス２０のＨＵＤ表示領域Ａを含む垂直線上の各点において、式（１）を使用して決定される。但し、楔角δは、例えば、フロントガラス２０の水平方向に連続的に変化するように、式（１）を使用して決定してもよい。
【００３４】
【数１】
2016017566.tif 000003
但し、楔角δ＝一定の場合は除き、ｔはフロントガラス２０の厚さ、Ｒはフロントガラス２０の局所曲率半径、ｎはフロントガラス２０の屈折率、Φはフロントガラス２０に入射する光線の局所入射角である。
【００３５】
又、ＨＵＤ表示領域Ａ内の境界Ｃ側端の楔角を楔角δｈ、ＨＵＤ表示領域Ａ内の境界Ｃ側端の透視二重像の角度をηｈとしたときに、ηｈが以下の式（２）で表され、ηは、｜ηｈ｜≦９ならば２｜ηｈ｜もしくは９のうちの小さい方以下、｜ηｈ｜＞９ならば｜ηｈ｜以下（但し、ＨＵＤ表示外領域Ｂ内の境界Ｃ側端を含むＨＵＤ表示外領域Ｂの一部の領域の各点の全てにおいてη＝０となることはなく、かつ、ＨＵＤ表示外領域Ｂ内の境界Ｃ側端では０＜｜η｜である）、を満足するηｈと同符号の任意の値である。
【００３６】
【数２】
2016017566.tif 000004
ここでいう符号とは、数について正又は負を表す記号を指し、「＋」が正数を表す記号、「−」が負数を表す記号である。但し、「＋」は記載が省略される場合がある。ここでは、透視二重像の角度及び反射二重像の角度について、１次ビーム（明るい光）に対して２次ビーム（暗い光）が上側にある場合（例えば、図１（ａ）及び図１（ｂ）の場合）を「＋」方向、その反対を「−」方向と規定している。
【００３７】
なお、特許文献１に記載されているように、透視二重像の角度は、式（３）に従って、曲率半径と光線の入射角とに応じて計算することができる。又、曲率半径Ｒｃと入射角φを有する二重像を除去するために必要な楔角δは、式（４）に従って計算することができる。式（１）及び（２）は、式（３）及び（４）に基づいて、発明者が更に検討を重ね、導いたものである。
【００３８】
【数３】
2016017566.tif 000005
【００３９】
【数４】
2016017566.tif 000006
次に、実施例において、比較例と対比しながら、式（１）により決定される楔角δの奏する効果について説明する。
【００４０】
〈実施例１〉
実施例１では、ＨＵＤ表示外領域Ｂ内の境界Ｃ側端を含むＨＵＤ表示外領域Ｂの全部の領域の各点において、式（１）を適用する例を示す。
【００４１】
［実施例１と比較例１〜４の説明］
最初に比較例１〜４について説明する。比較例１は、ＨＵＤ表示領域Ａにおける楔角δ、及びＨＵＤ表示外領域Ｂにおける楔角δが共にゼロ［ｍｒａｄ］の場合（ＨＵＤ表示領域Ａ及びＨＵＤ表示外領域Ｂにおいてフロントガラス２０の内面２１と外面２２とが常に平行な場合）である。比較例２は、ＨＵＤ表示領域Ａにおける楔角δ、及びＨＵＤ表示外領域Ｂにおける楔角δが共に０．７［ｍｒａｄ］の場合である。比較例３は、ＨＵＤ表示領域Ａにおける楔角δが０．７［ｍｒａｄ］、ＨＵＤ表示外領域Ｂにおける楔角δがゼロ［ｍｒａｄ］の場合である。
【００４２】
比較例４は、特許文献１に記載の場合である。すなわち、ＨＵＤ表示領域Ａにおける楔角δが以下の式（５）、（６）、及び（７）等に基づいて決定され、ＨＵＤ表示外領域Ｂにおける楔角δが上記の式（４）に基づいて決定される場合である。
【００４３】
【数５】
2016017566.tif 000007
【００４４】
【数６】
2016017566.tif 000008
【００４５】
【数７】
2016017566.tif 000009
式（５）〜式（７）において、θは傾斜角、ＲｉはフロントガラスからＨＵＤの光源までの距離、θｉは２次ビームの入射角、θｒはガラスの内面を出る２次ビームの角度である。又、η１は１次ビームの反射点を通る垂線と２次ビームがガラス板を貫通する点を通る垂線との間の角度、η２は１次ビームの反射点における垂線とガラスの外面での２次ビームの反射点における垂線との間の角度である。又、η３は１次ビームの反射点における垂線と２次ビームがガラスの内面を出る点における垂線との間の角度、φｉは水平線とガラス板内部の２次ビームとの間の角度、φｒは水平線とガラスの外面で反射されたガラス板内部の２次ビームとの間の角度である。
【００４６】
一方、実施例１では、ＨＵＤ表示領域Ａでは特許文献１に記載の場合と同様に式（５）〜式（７）等に基づいて楔角δを決定した。又、ＨＵＤ表示外領域Ｂでは式（１）に基づいて楔角δを決定した。但し、一例として、式（１）においてη＝−３［ｍｉｎ］に設定し、式（２）においてηｈ＝−９．６［ｍｉｎ］に設定した。
【００４７】
［境界Ｃにおける楔角の変化］
ここで、比較例１〜４及び実施例１に関し、４００ｍｍ≦Ｘ＜４９０ｍｍをＨＵＤ表示領域Ａ、４９０ｍｍ＜Ｘ≦１０００ｍｍをＨＵＤ表示外領域Ｂ、Ｘ＝４９０ｍｍを境界Ｃとした場合の、Ｘ方向の楔角の変化を図４及び図５に示す。なお、フロントガラス２０の最も車両前方側の位置を原点（Ｘ＝０）としている。
【００４８】
図４（ａ）に示すように、比較例１及び２では境界Ｃにおける楔角の変化はゼロ［ｍｒａｄ］である。その結果、比較例１及び２では境界Ｃにおいて透視歪や発泡が生じる危険性はない。
【００４９】
又、図４（ｂ）に示すように、比較例３では境界Ｃにおける楔角の変化は０．７［ｍｒａｄ］であり、比較例４では約０．５５［ｍｒａｄ］となる。境界Ｃにおける楔角の変化が比較例３及び４程度まで大きくなると、境界において透視歪や発泡が生じる危険性が高いといえる。
【００５０】
一方、図５（ａ）に示すように、実施例１では境界Ｃにおける楔角の変化は約０．３８［ｍｒａｄ］であり、比較例１及び２よりは大きいものの、比較例３及び４に対しては改善されていることが確認できる。実施例１程度の楔角の変化では、境界において透視歪や発泡が生じる危険性は低いといえる。なお、図５（ｂ）は、図４（ａ）、図４（ｂ）、及び図５（ａ）をまとめて示したものである。
【００５１】
［反射二重像の角度、透視二重像の角度］
次に、比較例１〜４及び実施例１に関し、ＨＵＤ表示領域Ａにおける反射二重像の角度、及び、ＨＵＤ表示外領域Ｂにおける透視二重像の角度について、図６に示す。図６（ａ）に示すように、ＨＵＤ表示領域Ａにおける反射二重像の角度は、実施例１では極小、比較例１では大、比較例２では小、比較例３では小、比較例４では極小である。
【００５２】
又、図６（ｂ）に示すように、ＨＵＤ表示外領域Ｂにおける透視二重像の角度は、実施例１では小、比較例１では小、比較例２では大、比較例３では小、比較例４では極小である。ここでいう『極小』は理想的な値、『小』は十分実用に耐えうる値、『大』は問題が生じるおそれが高い値を意味している。
【００５３】
なお、実施例１では、ＨＵＤ表示外領域Ｂにおける透視二重像の角度が−３［ｍｉｎ］付近となっている。これは、式（１）においてη＝−３［ｍｉｎ］に設定したからである。つまり、実施例１では、式（１）におけるηの値が、そのままＨＵＤ表示外領域Ｂにおける透視二重像の角度となる。すなわち、式（１）におけるηの値を調整することにより、ＨＵＤ表示外領域Ｂにおける透視二重像の角度を任意の値にすることができる。
【００５４】
表１は、図４〜図６の結果をまとめたものである。表１に示すように、比較例１ではＨＵＤ表示領域Ａにおける反射二重像が問題となり、比較例２ではＨＵＤ表示外領域Ｂにおける透視二重像が問題となる。又、比較例３及び４では、境界Ｃにおける透視歪や発泡の危険性が問題となる。
【００５５】
これに対して、実施例１では、ＨＵＤ表示領域Ａにおける反射二重像、ＨＵＤ表示外領域Ｂにおける透視二重像、境界Ｃにおける透視歪や発泡の危険性の何れに関しても十分実用に耐えうる値の範囲内とすることができる。
【００５６】
【表１】
2016017566.tif 000010
なお、上記では、式（１）においてη＝−３［ｍｉｎ］に設定する例を示したが、ηは、｜ηｈ｜≦９ならば２｜ηｈ｜もしくは９のうちの小さい方以下、｜ηｈ｜＞９ならば｜ηｈ｜以下（但し、ＨＵＤ表示外領域Ｂ内の境界Ｃ側端を含むＨＵＤ表示外領域Ｂの全部の領域の各点の全てにおいてη＝０となることはなく、かつ、ＨＵＤ表示外領域Ｂ内の境界Ｃ側端では０＜｜η｜である）、を満足し、ηｈと同符号の任意の値とすることができる。ここでは、ηｈ＝−９．６［ｍｉｎ］としたので、ηを、−９．６≦η≦０を満足する任意の値（但し、ＨＵＤ表示外領域Ｂ内の境界Ｃ側端を含むＨＵＤ表示外領域Ｂの一部の領域の各点の全てにおいてη＝０となることはなく、かつ、ＨＵＤ表示外領域Ｂ内の境界Ｃ側端では０＜｜η｜である）とすることにより、表１と同様の結果を得ることができる。例として、η＝−６［ｍｉｎ］、η＝−９［ｍｉｎ］とした場合を図７に示す。図７において、境界Ｃにおける楔角の変化が比較例４に比べて低減していることが確認できる。
【００５７】
このように、実施例１では、ＨＵＤ表示外領域Ｂの全部の領域において式（１）に基づいて楔角を決定している。これにより、ＨＵＤ表示外領域Ｂの全部の領域における透視二重像、及び境界Ｃにおける透視歪や発泡の危険性を十分実用に耐えうる値の範囲内（極小又は小）とすることができる。特に、比較例４と対比するとわかるように、実施例１では、ＨＵＤ表示外領域Ｂにおいて十分実用に耐えうる範囲内で故意に透視二重像を大きくし、その代わりに境界Ｃにおける楔角の変化を抑止し、境界Ｃにおける透視歪や発泡の危険性を低減している。
【００５８】
なお、実施例１において、ＨＵＤ表示領域Ａでは特許文献１に記載の場合と同様に式（５）〜式（７）等に基づいて楔角δを決定した。しかし、ＨＵＤ表示領域Ａにおける反射二重像が十分実用に耐えうる値の範囲内（極小又は小）であれば、他の方法により楔角δを決定してもよい。例えば、比較例２や３と同様の方法によりＨＵＤ表示領域Ａにおける楔角δを決定することができる。
【００５９】
〈実施例２〉
実施例１では、ＨＵＤ表示外領域Ｂ内の境界Ｃ側端を含むＨＵＤ表示外領域Ｂの全部の領域において、式（１）を適用する例を示した。しかし、式（１）は境界Ｃにおける楔角の変化を抑制することを目的としているので、必ずしも、ＨＵＤ表示外領域Ｂの全部の領域について適用しなくてもよい。そこで、実施例２では、式（１）をＨＵＤ表示外領域Ｂ内の境界Ｃ側端を含むＨＵＤ表示外領域Ｂの一部の領域のみに適用する例を示す。なお、特に説明しない部分については、実施例１と同様である。
【００６０】
図８では、実施例１と同様に、４００ｍｍ≦Ｘ＜４９０ｍｍをＨＵＤ表示領域Ａ、４９０ｍｍ＜Ｘ≦１０００ｍｍをＨＵＤ表示外領域Ｂ、Ｘ＝４９０ｍｍを境界Ｃとした場合の、Ｘ方向の楔角の変化を示している。但し、図８では、ＨＵＤ表示外領域Ｂを更に領域Ｂ１及びＢ２に分けている。そして、境界Ｃに接するＨＵＤ表示外領域Ｂの領域Ｂ１に式（１）を適用している。なお、式（１）においてη＝−３［ｍｉｎ］に設定し、式（２）においてηｈ＝−９．６［ｍｉｎ］に設定した点は、実施例１と同様である。
【００６１】
このように、境界Ｃに接するＨＵＤ表示外領域Ｂの領域Ｂ１に式（１）を適用することにより、境界Ｃにおける楔角の変化を抑止でき、かつ、領域Ｂ１における透視二重像を十分実用に耐えうる範囲内の大きさにできる。又、領域Ｂ２における楔角は、領域Ｂ２における透視二重像が十分実用に耐えうる範囲内の大きさになるような任意の値に設定すればよく、領域Ｂ１のように必ずしも式（１）を適用しなくてよい。
【００６２】
図８の例では、領域Ｂ２において、比較例４と同様の楔角としている。なお、比較例４の楔角は、式（１）において、『ηは、｜ηｈ｜≦９ならば２｜ηｈ｜もしくは９のうちの小さい方以下、｜ηｈ｜＞９ならば｜ηｈ｜以下（但し、ＨＵＤ表示外領域Ｂ内の境界Ｃ側端を含むＨＵＤ表示外領域Ｂの一部の領域の各点の全てにおいてη＝０となることはなく、かつ、ＨＵＤ表示外領域Ｂ内の境界Ｃ側端では０＜｜η｜である）、を満足し、ηｈと同符号の任意の値である。』という条件をなくし、η＝０とした場合に相当する。
【００６３】
或いは、式（１）において、『ηは、｜ηｈ｜≦９ならば２｜ηｈ｜もしくは９のうちの小さい方以下、｜ηｈ｜＞９ならば｜ηｈ｜以下（但し、ＨＵＤ表示外領域Ｂ内の境界Ｃ側端を含むＨＵＤ表示外領域Ｂの一部の領域の各点の全てにおいてη＝０となることはなく、かつ、ＨＵＤ表示外領域Ｂ内の境界Ｃ側端では０＜｜η｜である）、を満足し、ηｈと同符号の任意の値である。』という条件を『ηは０≦｜η｜≦｜９｜（但し、ＨＵＤ表示外領域Ｂ内の境界Ｃ側端を含むＨＵＤ表示外領域Ｂの一部の領域の各点の全てにおいてη＝０となることはなく、かつ、ＨＵＤ表示外領域Ｂ内の境界Ｃ側端では０＜｜η｜である）、を満足する任意の値である。』に変更し、ＨＵＤ表示外領域Ｂの領域Ｂ２に適用してもよい。例えば、ηを、−９．０≦η≦９．０を満足する任意の値とすることができる。望ましくは０≦｜η｜≦｜６｜を満足することであり、更に望ましくは０≦｜η｜≦｜３｜を満足することである。
【００６４】
又、領域Ｂ２を更に２つ以上の領域に分割してもよい。この場合には、領域Ｂ１には式（１）を適用する必要があるが、領域Ｂ２を分割した各領域の楔角は各領域における透視二重像が十分実用に耐えうる範囲内の大きさになるような任意の値に設定すればよい。
【００６５】
図８において、領域Ｂ１の幅（Ｘ方向）は、要求される仕様に応じて適宜決定することができる。なお、領域Ｂ１の幅（Ｘ方向）＝ＨＵＤ表示外領域Ｂの幅（Ｘ方向）とした場合が実施例１である。
【００６６】
なお、フロントガラス２０の周縁部は、二重像や透視歪等の欠陥回避に関して、中央部（フロントガラス２０の周縁部を除く領域）よりも重要性が劣る。そこで、ＨＵＤ表示外領域Ｂ内の境界Ｃ側端を含むＨＵＤ表示外領域Ｂのうち、フロントガラス２０の周縁部を除く領域の各点において、楔角δが式（１）を満足するようにしてもよい。この場合、中央部よりも重要性が劣るフロントガラス２０の周縁部においては、楔角δを任意の値とすることができる。フロントガラス２０の周縁部を除く領域とは、例えば、ＪＩＳ規格Ｒ３２１２で規定する試験領域Ａに相当する領域である。
【００６７】
以上、好ましい実施の形態及び実施例について詳説したが、上述した実施の形態及び実施例に制限されることはなく、特許請求の範囲に記載された範囲を逸脱することなく、上述した実施の形態及び実施例に種々の変形及び置換を加えることができる。
【００６８】
本国際出願は２０１４年７月３０日に出願した日本国特許出願２０１４−１５５１８８号、及び２０１５年４月２１日に出願した日本国特許出願２０１５−０８７０６８号に基づく優先権を主張するものであり、日本国特許出願２０１４−１５５１８８号及び日本国特許出願２０１５−０８７０６８号の全内容を本国際出願に援用する。
【符号の説明】
【００６９】
１０、４０  光源
１１ａ、１１ｂ、１２ａ、１２ｂ、４１ａ、４１ｂ、４２ａ、４２ｂ  光線
１１ｃ、１２ｃ、４１ｃ、４２ｃ  像
２０  フロントガラス
２１  内面
２２  外面
３０  眼
２１０、２２０  ガラス板
２３０  中間膜
Ａ  ＨＵＤ表示領域
Ｂ  ＨＵＤ表示外領域
Ｃ  境界
Ｄ、Ｅ  領域
【図１】
2016017566.tif 000013
【図２】
2016017566.tif 000014
【図３】
2016017566.tif 000015
【図４】
2016017566.tif 000016
【図５】
2016017566.tif 000017
【図６】
2016017566.tif 000018
【図７】
2016017566.tif 000019
【図８】
2016017566.tif 000020
【国際調査報告】
2016017566.tif 000021
2016017566.tif 000022